(57)【要約】【課題】排出トレイの姿勢が固定されていると、媒体の種類や状態によってスタック不良となる場合がある。排出トレイ全体の角度を変えると、排出される媒体の排出トレイへの突入角度が変わり、媒体が座屈することがある。【解決手段】媒体排出装置１０を備えるスキャナー１は、排出ローラー対１７によって筐体２から排出される媒体Ｐの先端を受けるとともに媒体Ｐを載置可能な第１トレイ２１と、第１トレイ２１に対して媒体排出方向の下流に位置し、媒体Ｐを載置可能な第２トレイ２２と、を有する排出トレイ２０とを備え、排出トレイ２０は、媒体排出方向の側面視において、第１トレイ２１と第２トレイ２２とが第１の角度α１を成す第１姿勢と、第１トレイ２１と第２トレイ２２とが第１の角度α１よりも小さい第２の角度α２を成す第２姿勢と、を排出ローラー対１７に対する第１トレイ２１の姿勢を変えずに切り換え可能に構成される。【選択図】図７
2020121866.tif 000002
【特許請求の範囲】
【請求項１】
筐体から媒体を排出する排出手段と、
前記排出手段によって排出される媒体の先端を受けるとともに媒体を載置可能な第１トレイと、前記第１トレイに対して媒体排出方向の下流に位置し、媒体を載置可能な第２トレイと、を有する排出トレイと、を備え、
前記排出トレイは、前記媒体排出方向の側面視において、前記第１トレイと前記第２トレイとが第１の角度を成す第１姿勢と、前記第１トレイと前記第２トレイとが前記第１の角度よりも小さい第２の角度を成す第２姿勢と、を前記排出手段に対する前記第１トレイの姿勢を変えずに切り換え可能に構成される、
ことを特徴とする媒体排出装置。
【請求項２】
請求項１に記載の媒体排出装置において、
前記排出トレイは、媒体を載置可能な展開状態と、前記第１トレイ、または前記第１トレイ及び前記第２トレイの双方によって前記筐体の一部を覆う収納状態と、切り換え可能に構成される、
ことを特徴とする媒体排出装置。
【請求項３】
請求項１または請求項２に記載の媒体排出装置において、
前記第２トレイは、前記第１トレイに対して収納可能に構成される、
ことを特徴とする媒体排出装置。
【請求項４】
請求項３に記載の媒体排出装置において、
前記第２トレイは、前記第１トレイに対して前記媒体排出方向及びその逆方向に摺動可能な摺動軸を備え、
前記第１トレイは、前記摺動軸をガイドするガイドレールを備え、
前記ガイドレールは、前記摺動軸が位置した場合に前記第２トレイの前記第１トレイに対する角度が、前記第１の角度になる第１位置と、前記第２の角度になる第２位置と、を含む、
ことを特徴とする媒体排出装置。
【請求項５】
請求項４に記載の媒体排出装置において、
前記ガイドレールは、前記摺動軸を前記第１位置及び前記第２位置の一方または双方において保持する保持手段を備える、
ことを特徴とする媒体排出装置。
【請求項６】
請求項１から請求項３のいずれか一項に記載の媒体排出装置において、
前記排出トレイは、前記第１トレイに対して前記第２トレイが回動することにより前記第１姿勢と前記第２姿勢を切り換える構成であり、
前記排出トレイを前記第１姿勢及び前記第２姿勢の一方または双方でロックするロック手段を備える、
ことを特徴とする媒体排出装置。
【請求項７】
請求項１から請求項６のいずれか一項に記載の媒体排出装置において、
前記第２トレイは、当該第２トレイに対して展開可能且つ収納可能な第３トレイを備える、
ことを特徴とする媒体排出装置。
【請求項８】
媒体の画像を読み取る読取部と、
前記読取部で読み取った媒体を排出する請求項１から請求項７のいずれか一項に記載の前記媒体排出装置と、を備える
ことを特徴とする画像読取装置。
【発明の詳細な説明】
【技術分野】
【０００１】
本発明は、媒体を排出する媒体排出装置、および前記媒体排出装置を備える画像読取装置に関する。
【背景技術】
【０００２】
画像読取装置の一例であるスキャナーには、複数枚の媒体を自動で読取部に向けて送り、読取部による読み取り後の媒体を排出する媒体排出装置を備えるものがある。媒体排出装置は、読取部による読み取り後の媒体をスタックする排出トレイを備えている。  
例えば、特許文献１及び特許文献２には、スキャナー本体から排出される読み取り後の媒体をスタックする排出トレイを備えたスキャナーが開示されている。
【０００３】
特許文献１に記載のスキャナーにおいて、排出トレイとしての原稿排出台は、媒体排出方向の上流に配置される前面カバーと、その媒体排出方向下流に配置される上面カバーとを備えている。
【０００４】
特許文献２に記載のスキャナーにおいて、排出トレイは、媒体排出方向の上流に配置される第１排出トレイと、その媒体排出方向下流に順に配置される第１延長トレイ、第２延長トレイ、及び第３延長トレイを備えている。
【先行技術文献】
【特許文献】
【０００５】
【特許文献１】特開２０１０−６２８３９号公報
【特許文献２】特開２０１８−１０４１５４号公報
【発明の概要】
【発明が解決しようとする課題】
【０００６】
特許文献１に開示のスキャナーの排出トレイ（原稿排出台）は、媒体を受けるときのトレイ角度が固定されているため、例えば媒体の種類や、折り筋やカールがある等の媒体の状態によってはスタック不良となることがある。また、トレイ角度が固定されていると、媒体排出方向における装置サイズも固定される。
【０００７】
特許文献２に開示のスキャナーの排出トレイは、媒体を受けるときの排出トレイの角度が変えられるが、排出トレイ全体の角度を変える構成であるため、スキャナー本体から排出される媒体の先端が着地する第１排出トレイの角度が変わる。第１排出トレイの媒体排出方向に上る傾斜姿勢が急になるほどトレイ面に対する媒体の突入角度が大きくなり、媒体が座屈する虞が増す。
【課題を解決するための手段】
【０００８】
上記課題を解決する本発明の媒体排出装置は、筐体から媒体を排出する排出手段と、前記排出手段によって排出される媒体の先端を受けるとともに媒体を載置可能な第１トレイと、前記第１トレイに対して媒体排出方向の下流に位置し、媒体を載置可能な第２トレイと、を有する排出トレイと、を備え、前記排出トレイは、前記媒体排出方向の側面視において、前記第１トレイと前記第２トレイとが第１の角度を成す第１姿勢と、前記第１トレイと前記第２トレイとが前記第１の角度よりも小さい第２の角度を成す第２姿勢と、を前記排出手段に対する前記第１トレイの姿勢を変えずに切り換え可能に構成される、ことを特徴とする。
【図面の簡単な説明】
【０００９】
【図１】排出トレイ及び給送トレイが収納状態にされたスキャナーの外観斜視図。
【図２】排出トレイ及び給送トレイが展開状態にされたスキャナーの外観斜視図。
【図３】補助排出トレイ及び補助給送トレイが引き出され、排出トレイが第１姿勢をとったプリンターの外観斜視図。
【図４】補助排出トレイ及び補助給送トレイが引き出され、排出トレイが第２姿勢をとったプリンターの外観斜視図。
【図５】支持部材に支持される筐体の角度が図１と異なるスキャナーの外観斜視図。
【図６】スキャナーにおける媒体搬送経路を表す側断面図。
【図７】排出トレイの第１姿勢と第２姿勢について説明する図。
【図８】排出トレイの第１姿勢と第２姿勢とを切り換える構成について説明する図。
【図９】第１実施形態の第１の変更例について説明する図。
【図１０】第１実施形態の第２の変更例について説明する図。
【図１１】第１実施形態の第３の変更例について説明する図。
【図１２】第１実施形態の第４の変更例について説明する図。
【図１３】第２実施形態について説明する図。
【図１４】第２実施形態の変更例について説明する図。
【図１５】第３実施形態について説明する図。
【図１６】第３実施形態について説明する図。
【図１７】第４実施形態について説明する図。
【発明を実施するための形態】
【００１０】
以下、本発明について概略的に説明する。  
第１の態様に係る媒体排出装置は、筐体から媒体を排出する排出手段と、前記排出手段によって排出される媒体の先端を受けるとともに媒体を載置可能な第１トレイと、前記第１トレイに対して媒体排出方向の下流に位置し、媒体を載置可能な第２トレイと、を有する排出トレイと、を備え、前記排出トレイは、前記媒体排出方向の側面視において、前記第１トレイと前記第２トレイとが第１の角度を成す第１姿勢と、前記第１トレイと前記第２トレイとが前記第１の角度よりも小さい第２の角度を成す第２姿勢と、を前記排出手段に対する前記第１トレイの姿勢を変えずに切り換え可能に構成される、ことを特徴とする。
【００１１】
本態様によれば、前記排出トレイは、前記媒体排出方向の側面視において、前記第１トレイと前記第２トレイとが第１の角度を成す第１姿勢と、前記第１トレイと前記第２トレイとが前記第１の角度よりも小さい第２の角度を成す第２姿勢と、を前記排出手段に対する前記第１トレイの姿勢を変えずに切り換え可能に構成されるので、媒体の種類や状態、或いは装置を設置するスペースに応じて前記第１姿勢と前記第２姿勢とを切り換えることができる。  
その際、前記第１姿勢と前記第２姿勢とを切り換えても前記排出手段に対する前記第１トレイの姿勢は変わらないので、前記排出手段によって排出される媒体の先端の前記第１トレイの載置面への突入角度は変わらない。以って、排出トレイ全体の角度を変えた場合に生じる媒体の座屈の虞を低減できる。
【００１２】
第２の態様は、第１の態様において、前記排出トレイは、媒体を載置可能な展開状態と、前記第１トレイ、または前記第１トレイ及び前記第２トレイの双方によって前記筐体の一部を覆う収納状態と、切り換え可能に構成される、ことを特徴とする。
【００１３】
本態様によれば、前記排出トレイは、媒体を受け入れ可能な展開状態と、前記第１トレイ、または前記第１トレイ及び前記第２トレイの双方によって前記筐体の一部を覆う収納状態と、切り換え可能に構成されるので、例えば装置を収納する際に、前記収納状態の前記排出トレイを前記筐体のカバーとして利用しつつ、装置をコンパクトにすることができる。また、前記展開状態の前記排出トレイにおいて、第１の態様と同様の作用効果が得られる。
【００１４】
第３の態様は、第１の態様または第２の態様において、前記第２トレイは、前記第１トレイに対して収納可能に構成される、ことを特徴とする。
【００１５】
本態様によれば、前記第２トレイは、前記第１トレイに対して収納可能に構成されるので、例えば装置の非使用時や前記排出トレイに排出される媒体サイズが小さい場合に前記第２トレイを前記第１トレイに収納し、装置を省スペースで配置することができる。
【００１６】
第４の態様は、第３の態様において、前記第２トレイは、前記第１トレイに対して前記媒体排出方向及びその逆方向に摺動可能な摺動軸を備え、前記第１トレイは、前記摺動軸をガイドするガイドレールを備え、前記ガイドレールは、前記摺動軸が位置した場合に前記第２トレイの前記第１トレイに対する角度が、前記第１の角度になる第１位置と、前記第２の角度になる第２位置と、を含む、ことを特徴とする。
【００１７】
本態様によれば、前記第２トレイの前記摺動軸を前記ガイドレールに沿って摺動させることにより、前記排出トレイの前記第１姿勢と前記第２姿勢とを切り換えることができる。
【００１８】
第５の態様は、第４の態様において、前記ガイドレールは、前記摺動軸を前記第１位置及び前記第２位置の一方または双方において保持する保持手段を備える、ことを特徴とする。
【００１９】
本態様によれば、前記ガイドレールは、前記摺動軸を前記第１位置及び前記第２位置の一方または双方において保持する保持手段を備えるので、前記排出トレイの姿勢を保持することができる。
【００２０】
第６の態様は、第１の態様から第３の態様のいずれかにおいて、前記排出トレイは、前記第１トレイに対して前記第２トレイが回動することにより前記第１姿勢と前記第２姿勢を切り換える構成であり、前記排出トレイを前記第１姿勢及び前記第２姿勢の一方または双方でロックするロック手段を備える、ことを特徴とする。
【００２１】
本態様によれば、容易な構成により前記排出トレイの前記第１姿勢と前記第２姿勢とを切り換え、その姿勢を維持させることができる。
【００２２】
第７の態様は、第１の態様から第６の態様のいずれかにおいて、前記第２トレイは、当該第２トレイに対して展開可能且つ収納可能な第３トレイを備える、ことを特徴とする。
【００２３】
本態様によれば、前記第２トレイは、当該第２トレイに対して展開可能且つ収納可能な第３トレイを備えるので、前記排出トレイの媒体排出方向長さを更に延長することができる。
【００２４】
第８の態様に係る画像読取装置は、媒体の画像を読み取る読取部と、前記読取部で読み取った媒体を排出する第１の態様から第７の態様のいずれかに記載の前記媒体排出装置と、を備えることを特徴とする。
【００２５】
本態様によれば、媒体の画像を読み取る読取部と、前記読取部で読み取った媒体を排出する前記媒体排出装置と、を備える画像読取装置において、第１の態様から第７の態様のいずれかと同様の作用効果が得られる。
【００２６】
［第１実施形態］
まず、本発明の一実施形態に係る画像読取装置の概略について、図を参照しつつ説明する。本実施形態では画像読取装置の一例として、媒体の表面及び裏面の少なくとも一面を読み取り可能なスキャナー１を例に挙げる。スキャナー１は、書類等の原稿を読み取る、所謂ドキュメントスキャナーである。
【００２７】
各図において示すＸ−Ｙ−Ｚ座標系は、Ｘ方向が装置幅方向であり、Ｙ方向が装置奥行方向である。Ｚ方向は高さ方向を示している。また、＋Ｙ方向を装置前方とし、−Ｙ方向を装置後方とする。また、装置前方から見て左側を＋Ｘ方向、右側を−Ｘ方向とする。また、＋Ｚ方向を装置上方とし、−Ｚ方向側を装置下方とする。また、媒体Ｐが給送されていく方向を「下流」といい、これと反対の方向を「上流」という。
【００２８】
＜＜＜スキャナーの概要＞＞＞
以下、図１から図６を参照して、本発明に係るスキャナー１について説明する。  
図１に示すスキャナー１は、後述する読取部５（図６）を備え、読取部５で読み取った媒体Ｐを排出トレイ２０に排出する媒体排出装置１０を備えて構成されている。媒体排出装置１０は、図６に示す媒体搬送経路Ｒを有する筐体２を備えている。読取部５は、図６に示されるように筐体２の内部に設けられ、媒体搬送経路Ｒを搬送される媒体Ｐを読み取るように配置されている。  
本実施形態において、スキャナー１から読取部５による読み取り機能を省いた装置を媒体排出装置１０と捉えることもできる。
【００２９】
筐体２の後方上部には、媒体搬送経路Ｒへの媒体Ｐの供給口である供給部６と、供給部６から供給する媒体Ｐを載置可能な給送トレイ８と、が設けられている。また、筐体２の前方下部には、読取部５による読み取り後の媒体Ｐを排出する排出口である排出部１８と、排出部１８から排出される媒体Ｐを受ける排出トレイ２０と、が設けられている。読取部５による読み取り後の媒体Ｐは、後述する排出ローラー対１７（図６）によって排出部１８から排出トレイ２０に排出される。
【００３０】
給送トレイ８は、図６に示されるように、筐体２に設けられる回動軸８ａに対して回動可能に設けられている。排出トレイ２０は、同じく図６に示されるように、筐体２に設けられる回動軸２０ａに対して回動可能に設けられている。  
スキャナー１は、図１に示されるように、給送トレイ８及び排出トレイ２０の双方が筐体２の一部を覆う収納状態と、図２に示されるように、給送トレイ８及び排出トレイ２０の双方に媒体Ｐを載置可能な展開状態と、を切り換え可能に構成されている。  
給送トレイ８及び排出トレイ２０を畳んで収納状態とすることができるので、例えばスキャナー１の非使用時に、給送トレイ８及び排出トレイ２０を筐体２のカバーとして利用しつつ、装置をコンパクト化することができる。
【００３１】
筐体２は、図１に示されるように筐体２の下側部分を構成する下部ユニット３と、筐体２の上側部分を構成する上部ユニット４と、によって構成されている。  
上部ユニット４は、図６に示す回動軸４ａに対して回動し、図６において実線で示すように下部ユニット３を覆う閉状態と、図６において点線で示すように下部ユニット３を開放する開状態と、を切り換え可能に構成されている。上部ユニット４を開状態とすることにより媒体搬送経路Ｒを露呈させ、筐体２内部のメンテナンスを行うことができる。尚、媒体搬送経路Ｒについては、スキャナー１の概要について説明した後に詳しく説明する。
【００３２】
筐体２は、図１から図６の各図に示されるように支持部材１９に支持されている。筐体２は、支持部材１９による支持姿勢を、図１に示す姿勢から図５に示す姿勢に変更可能に構成されている。図１において筐体２は、図２から図４及び図６のように、媒体Ｐを搬送して読取部５による画像読取を実行する際の姿勢と同じ姿勢で支持部材１９に支持されている。一方、図５において筐体２は、図１において前方下部に位置する排出部１８が、下を向く姿勢で支持部材１９に支持されている。筐体２を図５の姿勢とすることにより、スキャナー１の奥行サイズをコンパクトにできる。また、排出部１８から筐体２の内部に塵埃等が入り込む虞を低減できる。
【００３３】
給送トレイ８には、図２に示されるように、媒体Ｐの媒体搬送方向と交差する幅方向（Ｘ軸方向）の側縁をガイドするエッジガイド１２ａ、１２ｂが設けられている。  
エッジガイド１２ａ、１２ｂは、媒体Ｐのサイズに応じてＸ軸方向にスライド移動可能に設けられている。本実施形態において、エッジガイド１２ａ、１２ｂは、公知のラックピニオン機構により＋Ｘ側のエッジガイド１２ａのＸ移動に追従して、−Ｘ側のエッジガイド１２ｂが相対する方向に移動するように構成されている。  
給送トレイ８において、媒体Ｐは幅方向の中央に揃えられ、幅方向の中央領域に設けられる後述の給送ローラー１４により、所謂、センター給紙方式で給紙されるように構成されている。
【００３４】
また、給送トレイ８は、図３に示されるように給送トレイ８から引き出した状態と、図２に示されるように給送トレイ８内に収納された状態と、を切り換え可能な補助給送トレイ９を備えている。補助給送トレイ９は、第１補助給送トレイ９ａ、第２補助給送トレイ９ｂ、第３補助給送トレイ９ｃの３段のトレイによって構成されている。補助給送トレイ９を、図３のように引き出した状態とすることにより、給送トレイ８の長さを延長することができる。以って、給送トレイ８において、媒体Ｐをより確実に支持することができる。尚、スキャナー１を図１に示す収納状態とする場合には、補助給送トレイ９は給送トレイ８内に収納されている。
【００３５】
排出トレイ２０は、図３に示されるように、排出ローラー対１７（図６）によって排出される媒体Ｐの先端を受けるとともに媒体Ｐを載置可能な第１トレイ２１と、第１トレイ２１に対して媒体排出方向の下流に位置し、媒体Ｐを載置可能な第２トレイ２２と、を有する。また、第２トレイ２２は、第２トレイ２２に対して展開可能且つ収納可能な第３トレイ２３を備えている。更に、第３トレイ２３は、第３トレイ２３に対して展開可能且つ収納可能な第４トレイ２４を備えている。第３トレイ２３、第４トレイ２４により、排出トレイ２０の媒体排出方向長さを更に延長することができる。
【００３６】
第２トレイ２２は、第１トレイ２１に対してスライド収納可能に構成されている。第３トレイ２３は、第２トレイ２２に対してスライド収納可能に構成されている。第４トレイ２４は、第３トレイ２３に対してスライド収納可能に構成されている。  
図７の中図に示されるように、第３トレイ２３は、第４トレイ２４を収納した状態で第２トレイ２２に収納され、第３トレイ２３、第４トレイ２４を収納した状態の第２トレイ２２が、第１トレイ２１に収納される。その結果、第２トレイ２２、第３トレイ２３、及び第４トレイ２４のすべてが、第１トレイ２１に対して収納される。
【００３７】
第４トレイ２４の先端には、第４トレイ２４に対して折りたたみ可能に形成され、排出トレイ２０に載置された媒体Ｐの＋Ｙ方向への移動を規制する規制部２５が設けられている。尚、第２トレイ２２、第３トレイ２３、及び第４トレイ２４も、上流のトレイにスライド収納する構成ではなく折り畳み収納する構成とすることもできる。
【００３８】
第２トレイ２２、第３トレイ２３、及び第４トレイ２４が、第１トレイ２１に対して収納可能であることにより、装置の非使用時や排出トレイ２０に排出される媒体Ｐのサイズが小さい場合に第２トレイから第４トレイまでを第１トレイ２１に収納し、装置を省スペースで配置することができる。  
本実施形態のスキャナー１または媒体排出装置１０における特徴部分である排出トレイ２０の構成については、媒体搬送経路Ｒについて説明した後、更に詳しく説明する。
【００３９】
また、図２に示されるように、上部ユニット４には、読み取り設定内容等の装置操作に係る内容を表示する操作パネル７が設けられている。操作パネル７は、一例としてタッチパネル式に構成することができ、装置操作に係る内容の表示に加え、各種設定、読み取り実行等の操作を行えるようにすることができる。
【００４０】
＜＜＜媒体搬送経路について＞＞＞
以下、主として図６を参照して、媒体排出装置１０における媒体搬送経路Ｒについて説明する。給送トレイ８から媒体Ｐが供給される媒体搬送経路Ｒには、媒体搬送方向上流から順に、給送ローラー１４及び分離ローラー１５、搬送ローラー対１６、読取部５、排出ローラー対１７が配置されている。  
搬送ローラー対１６は、搬送駆動ローラー１６ａと搬送従動ローラー１６ｂとにより構成されている。排出ローラー対１７は、筐体２から媒体Ｐを排出する排出手段であり、排出駆動ローラー１７ａと排出従動ローラー１７ｂとにより構成されている。
【００４１】
給送ローラー１４、搬送駆動ローラー１６ａ、及び排出駆動ローラー１７ａは、下部ユニット３に対して回転可能に設けられている。また、給送ローラー１４と対向する位置に設けられる分離ローラー１５、搬送従動ローラー１６ｂ、及び排出従動ローラー１７ｂは、上部ユニット４に対して回転可能に設けられている。
【００４２】
給送トレイ８に載置された媒体Ｐは、給送ローラー１４によりピックアップされて搬送ローラー対１６に向けて送られる。具体的には、媒体Ｐの給送トレイ８に対向する面に、給送ローラー１４が接触しつつ回転することにより、媒体Ｐを下流に向けて給送する。したがって、スキャナー１において複数枚の媒体Ｐを給送トレイ８にセットした場合には、下側の媒体Ｐから順に下流に向けて給送される。  
図２において給送ローラー１４と対向する位置には、給送ローラー１４との間で媒体Ｐをニップして媒体Ｐを分離する分離ローラー１５を備えている。
【００４３】
搬送ローラー対１６は、給送ローラー１４によって給送された媒体Ｐを読取部５に向けて搬送する。搬送ローラー対１６も、給送ローラー１４と同様に、幅方向であるＸ軸方向において中央領域に設けられている。
【００４４】
読取部５は、上部ユニット４側に設けられた第１読取部５ａと、下部ユニット３側に設けられた第２読取部５ｂとを備えている。本実施形態において、第１読取部５ａ及び第２読取部５ｂは一例として密着型イメージセンサーモジュール（ＣＩＳＭ）として構成されている。
【００４５】
第１読取部５ａは、媒体Ｐにおいて上側を向く面を読み取り、第２読取部５ｂはその反対面、媒体Ｐにおいてつまり下側を向く面を読み取る。  
媒体Ｐは、少なくとも一方の面を読取部５において読み取られた後、読取部５の下流に位置する排出ローラー対１７にニップされて排出部１８から排出される。
【００４６】
尚、本実施形態において給送ローラー１４、分離ローラー１５、搬送駆動ローラー１６ａ、及び排出駆動ローラー１７ａは、不図示の駆動源によって回転駆動される。これらのローラーは、すべて同じ駆動源により駆動する構成の他、二以上の駆動源により駆動する構成とすることができる。  
本実施形態においては、一例として、分離ローラー１５、搬送駆動ローラー１６ａ、及び排出駆動ローラー１７ａが共通の駆動源により駆動され、給送ローラー１４が別の駆動源により駆動されるように構成されている。
【００４７】
＜＜＜排出トレイについて＞＞＞
以下、排出トレイ２０について説明する。  
図３に示される排出トレイ２０は、前述した様に、排出ローラー対１７（図６）によって排出される媒体Ｐの先端を受けるとともに媒体Ｐを載置可能な第１トレイ２１と、第１トレイ２１に対して媒体排出方向の下流、すなわち＋Ｙ方向に位置し、媒体Ｐを載置可能な第２トレイ２２を有する排出トレイと、を備えている。また、排出トレイ２０は、第２トレイ２２の下流に位置する第３トレイ２３と、更にその下流に位置する第４トレイ２４を備えている。
【００４８】
本実施形態において排出トレイ２０は、図７に示されるように、媒体排出方向の側面視において、第１トレイ２１と第２トレイ２２とが第１の角度α１を成す第１姿勢（図７の上図）と、第１トレイ２１と第２トレイ２２とが第１の角度α１よりも小さい第２の角度α２を成す第２姿勢と、を排出ローラー対１７（排出手段）に対する第１トレイ２１の姿勢を変えずに切り換え可能に構成されている。  
尚、図７の上図は図３のＡ１−Ａ１矢視断面の要部拡大図である。図７の中図は図２のＡ２−Ａ２矢視断面の要部拡大図である。図７の下図は図４のＡ３−Ａ３矢視断面の要部拡大図である。
【００４９】
本実施形態において、第１の角度α１は、一例として第１トレイ２１と第２トレイ２２とが略面一となるように約１８０°に設定されている。また、第２の角度α２は鈍角に設定されている。
【００５０】
排出トレイ２０は、第１姿勢と第２姿勢とを切り換える際に、排出ローラー対１７に対する第１トレイ２１の姿勢が変わらないので、排出トレイ２０の姿勢を切り換えても、排出ローラー対１７によって排出される媒体Ｐの先端の第１トレイ２１への突入角度は変わらない。したがって、排出トレイ２０全体を回動させて排出トレイ２０の傾斜角度を変えた場合に生じる媒体Ｐの先端の座屈の虞を低減できる。
【００５１】
排出トレイ２０の第１姿勢と第２姿勢は、媒体Ｐの剛性や厚み等の種類や、媒体折れやカール等の状態に加え、スキャナー１を設置しようとする場所のスペースに応じて第１姿勢と第２姿勢とを切り換えることができる。
【００５２】
例えば、排出トレイ２０の第２姿勢（図７の下図）は、第２トレイ２２が媒体排出方向に上る傾斜姿勢をとっているので、Ｙ軸方向における排出トレイ２０全体の長さが第１姿勢（図７の上図）よりも短くなる。したがって、スキャナー１の排出トレイ２０を第２姿勢にすることにより、スキャナー１の設置スペースをコンパクト化することができる。
【００５３】
一方、媒体Ｐの剛性が高かったり、媒体Ｐの先端が下向きに折れたりカールしたりしている場合、媒体Ｐの先端が傾斜した第２トレイ２２に突き当たり、座屈する場合がある。  
このような媒体Ｐを排出する場合には、排出トレイ２０を平らな第１姿勢（図７の上図）にすることにより、媒体Ｐの先端の座屈を抑制することができる。
【００５４】
＜＜＜排出トレイの姿勢を切り換える構成について＞＞＞
以下、図８を参照して、排出トレイ２０の第１姿勢と第２姿勢とを切り換える構成の一例について説明する。尚、図８の上図は図３のＢ１−Ｂ１矢視断面の要部拡大図である。図８の中図は図２のＢ２−Ｂ２矢視断面の要部拡大図である。図８の下図は図４のＢ３−Ｂ３矢視断面の要部拡大図である。
【００５５】
図８の各図に示されるように、第２トレイ２２は、媒体排出方向の上流である−Ｙ方向の端部であって、媒体排出方向と交差する幅方向の両側の端部に、トレイ回動軸３０を備えている。また、第２トレイ２２は、第１トレイ２１に対して媒体排出方向（＋Ｙ方向）及びその逆方向（−Ｙ方向）に摺動可能な摺動軸３１を備えている。摺動軸３１は、トレイ回動軸３０に対して＋Ｙ方向にトレイ回動軸３０から少し間隔を空けて設けられている。  
第１トレイ２１は、摺動軸３１をガイドするガイドレール３２を備えている。尚、本実施形態において、トレイ回動軸３０もガイドレール３２にガイドされる。  
そして、ガイドレール３２は、摺動軸３１が位置した場合に第２トレイ２２の第１トレイ２１に対する角度が、第１の角度α１になる第１位置Ｃ１（図８の上図）と、第２の角度α２になる第２位置Ｃ２（図８の下図）と、を含んでいる。
【００５６】
より具体的には、ガイドレール３２は、第１トレイ２１において概ね水平に延設される第１レール部３２ａと、第１レール部３２ａの＋Ｙ側の端部から＋Ｙ方向に向けて傾斜した第２レール部３２ｂとを備えている。  
本実施形態において、第１位置Ｃ１は第１レール部３２ａの＋Ｙ側の端部であり、第２位置Ｃ２は第２レール部３２ｂの＋Ｙ側の端部に配置されている。
【００５７】
第２トレイ２２が第１トレイ２１に収納されている状態では、摺動軸３１は図８の中図に示される位置にある。第２トレイ２２を＋Ｙ方向に引き出すと、摺動軸３１は第１レール部３２ａにガイドされつつ＋Ｙ方向に移動する。摺動軸３１が第１レール部３２ａの＋Ｙ側の端部である第１位置Ｃ１に位置すると、摺動軸３１の＋Ｙ方向への移動が規制されるので第２トレイ２２がそれ以上＋Ｙ方向に引き出されない。以って、図８の上図に示されるように、排出トレイ２０を、第１トレイ２１と第２トレイ２２とがほぼ面一となった第１姿勢にすることができる。
【００５８】
また、排出トレイ２０を、第１トレイ２１に対する第２トレイ２２の角度が鈍角の第２の角度α２となる第２姿勢にする場合には、摺動軸３１が第１レール部３２ａに沿ってガイドされて第１位置Ｃ１に位置するまで第２トレイ２２を引き出した後、更に第２トレイ２２の先端を上方に持ち上げて、第２トレイ２２をトレイ回動軸３０に対して回動させつつ＋Ｙ方向に引き出す。このとき、摺動軸３１は第２レール部３２ｂに沿って移動する。  
第２位置Ｃ２には、図８の中図に示されるように凹部３３が形成されており、摺動軸３１が凹部３３に嵌合することにより、第２トレイ２２の第１トレイ２１に対する角度が第２の角度α２にされた状態に保持される。言い換えると、凹部３３は、摺動軸３１を第２位置Ｃ２において保持する保持手段である。
【００５９】
以上のような構成により、排出トレイ２０の第１姿勢と第２姿勢とを容易に切り換えることができる。  
尚、第１レール部３２ａの第１位置Ｃ１に摺動軸３１が入り込むことができる凹部を設けることもできる。これにより、第２トレイ２２を完全に引き出したときにクリック感が得られるとともに、摺動軸３１が第１位置Ｃ１から容易に移動し難い構成とすることができる。
【００６０】
尚、排出トレイ２０において、媒体Ｐを載置可能な展開状態は、図２のように第１トレイ２１に第２トレイ２２、第３トレイ２３、及び第４トレイ２４が収納された状態でもよく、図３のように第２トレイ２２、第３トレイ２３、及び第４トレイ２４のすべて、或いは一部が引き出された状態でもよい。  
また、本実施形態においては、図１に示すスキャナー１の収納状態において、第２トレイ２２、第３トレイ２３、及び第４トレイ２４が収納された状態の第１トレイ２１によって筐体２の一部を覆っているが、例えば、第１トレイ２１及び第２トレイ２２の双方、或いは第１トレイ、第２トレイ２２、及び第３トレイ２３によって筐体２を覆う構成とすることもできる。
【００６１】
＜排出トレイの姿勢を切り換える構成の第１の変更例＞
ガイドレール３２は、図９に示す第１の変更例のように形成することもできる。図９に示すガイドレール３２において、第１レール部３２ａは図８と同様、第１トレイ２１において概ね水平に延設されている。第１レール部３２ａの＋Ｙ方向の端部が第１位置Ｃ１である。第２レール部３２ｂは、第１レール部３２ａの＋Ｙ方向の端部から円弧状に形成されており、第２レール部３２ｂの端部には凹部３３が形成されている。凹部３３の位置が第２位置Ｃ２である。
【００６２】
図８の構成では、排出トレイ２０を第２姿勢（図８の下図）にする際に、第１姿勢（図８の上図）の状態から第２トレイ２２の先端を上方に持ち上げ、第２トレイ２２をトレイ回動軸３０に対して回動させつつ＋Ｙ方向に引き出すが、図９のように第２レール部３２ｂが円弧状に形成されていると、トレイ回動軸３０の位置をほとんど変えずに第２トレイ２２を回動させることができる。  
また、第１の変更例においても、摺動軸３１を凹部３３に嵌合させることにより、第２トレイ２２の第１トレイ２１に対する角度が第２の角度α２にされた状態を保持することができる。
【００６３】
＜排出トレイの姿勢を切り換える構成の第２の変更例＞
ガイドレール３２は、図１０に示す第２の変更例のように形成することもできる。ガイドレール３２は、凹部３３が形成されていない点以外は、図９に示す第１の変更例と同様に構成されている。
【００６４】
図１０に示す第２の変更例では、第２トレイ２２の第１トレイ２１に対する角度を第１の角度α１と第２の角度α２とに位置決めするハートカム機構３４が設けられている。ハートカム機構３４は、第１トレイ２１に設けられるハートカム溝３５と、第２トレイ２２に設けられる摺動ピン３６とを備えている。摺動ピン３６は、図１０を平面視して反時計回りにのみハートカム溝３５を摺動することができる。  
摺動ピン３６が図１０の上図の位置にある場合に、摺動軸３１は第１レール部３２ａの第１位置Ｃ１に位置し、第１トレイ２１に対する第２トレイ２２の角度が第１の角度α１に位置決めされる。摺動ピン３６が図１０の下図の位置にある場合に、摺動軸３１は第２レール部３２ｂの第２位置Ｃ２に位置し、第１トレイ２１に対する第２トレイ２２の角度が第２の角度α２に位置決めされる。
【００６５】
＜排出トレイの姿勢を切り換える構成の第３の変更例＞
第２トレイ２２の第１トレイ２１に対する角度を第１の角度α１と第２の角度α２とに位置決めする機構は、図１１に示す第３の変更例のように形成することもできる。  
図１１に示す第３の変更例は、摺動軸３１を第１位置Ｃ１または第２位置Ｃ２において保持する保持手段として、第１ストッパー３７ａと第２ストッパー３７ｂとを備えている。第１ストッパー３７ａ及び第２ストッパー３７ｂは、幅方向であるＸ軸方向において、トレイ回動軸３０に対応する位置に設けられている。
【００６６】
第１ストッパー３７ａ及び第２ストッパー３７ｂは、図示を省略するバネ部材等の押圧部材によりガイドレール３２の下方から上方に向けて押圧されており、ガイドレール３２内に突出している。第２トレイ２２が＋Ｙ方向に引き出されたり−Ｙ方向に退避させられたりする際には、第１ストッパー３７ａ及び第２ストッパー３７ｂはトレイ回動軸３０に押されてガイドレール３２の下方に逃げることができるように構成されている。
【００６７】
第１ストッパー３７ａは、図１１の上図に示されるように、Ｙ軸方向において、摺動軸３１が第１位置Ｃ１に位置する際のトレイ回動軸３０の直ぐ上流（−Ｙ方向）に配置されており、摺動軸３１が第１位置Ｃ１に位置する際にトレイ回動軸３０が−Ｙ方向に移動することを規制する。  
また、第２ストッパー３７ｂは、図１１の下図に示されるように、Ｙ軸方向において、摺動軸３１が第２位置Ｃ２に位置する際のトレイ回動軸３０の直ぐ上流（−Ｙ方向）に配置されており、摺動軸３１が第２位置Ｃ２に位置する際にトレイ回動軸３０が−Ｙ方向に移動することを規制する。  
第１ストッパー３７ａによって、第２トレイ２２の第１トレイ２１に対する角度を第１の角度α１に位置決めし、第２ストッパー３７ｂによって、第２トレイ２２の第１トレイ２１に対する角度を第２の角度α２に位置決めすることができる。
【００６８】
＜排出トレイの姿勢を切り換える構成の第４の変更例＞
ガイドレール３２は、図１２に示す第４の変更例のように形成することもできる。図１２に示すガイドレール３２において、第１レール部３２ａは第１トレイ２１において概ね水平に延設されている。第１レール部３２ａの＋Ｙ方向の端部が第１位置Ｃ１である。第２レール部３２ｂは、第１レール部３２ａの＋Ｙ方向の端部より上流（−Ｙ方向）から分岐しており、第２レール部３２ｂの端部には凹部３３が形成されている。凹部３３の位置が第２位置Ｃ２である。このように、Ｙ字に分岐したガイドレール３２とすることができる。
【００６９】
尚、第２レール部３２ｂの端部には凹部３３を形成せず、図１０に示される第２の変更例のようにハートカム機構３４を設けたり、図１１に示される第３の変更例のように第１ストッパー３７ａ及び第２ストッパー３７ｂを設けたりすることも可能である。
【００７０】
［第２実施形態］
以下、図１３を参照して排出トレイ２０の他の例について説明する。  
第２実施形態において説明する排出トレイ２０は、第１トレイ２１に対して第２トレイ２２が回動することにより第１姿勢（図１３の上図）と第２姿勢（図１３の下図）を切り換える構成であり、排出トレイ２０を第１姿勢及び第２姿勢の一方または双方でロックするロック手段としての支持棒４１を備えている。
【００７１】
図１３に示される排出トレイ２０において、第２トレイ２２の−Ｙ方向の端部には、トレイ回動軸４０が設けられている。第１トレイ２１には、トレイ回動軸４０が摺動するガイドレール４２が設けられている。ガイドレール４２は第１トレイ２１において概ね水平に延設されている。
【００７２】
図示を省略するが、第２トレイ２２が第１トレイ２１に収納されている状態では、トレイ回動軸４０はガイドレール４２の−Ｙ方向の端部に位置している。第２トレイ２２を引き出すとトレイ回動軸４０はガイドレール４２を＋Ｙ方向に摺動し、図１３の上図に示されるようにトレイ回動軸４０がガイドレール４２の＋Ｙ方向の端部まできたら、第２トレイ２２の＋Ｙ方向への引き出しが規制される。
【００７３】
排出トレイ２０が図１３の上図の状態、すなわち、第２トレイ２２の第１トレイ２１に対する角度が第１の角度α１となる第１姿勢にされた状態から、第２トレイ２２の先端を上方に持ち上げると、トレイ回動軸４０を軸として第２トレイ２２を回動させることができる。
【００７４】
第２トレイ２２には、前述したロック手段としての支持棒４１が設けられている。排出トレイ２０を図１３の上図に示す第１姿勢とする際や、第２トレイ２２を第１トレイ２１に収納する際には、支持棒４１は第２トレイ２２の支持面に沿って取り付けられている。排出トレイ２０を図１３の下図に示す第２姿勢にする際には、支持棒４１を第２トレイ２２の支持面と交差するように回動させ、支持棒４１の自由端をスキャナー１の設置面Ｇ等に接触させることにより、第２トレイ２２の姿勢を保持することができる。  
以上のような構成により、構成容易にして排出トレイ２０の第１姿勢と第２姿勢とを切り換えるとともに、その姿勢を維持させることができる。
【００７５】
＜ロック手段の変更例＞
排出トレイ２０を第１姿勢及び第２姿勢の一方または双方でロックするロック手段には、図１４に示されるようにロックピン４３を用いることができる。  
ロックピン４３は一例として第１トレイ２１に設けることができる。第２トレイ２２には、ロックピン４３を挿抜可能な不図示のピン穴が設けられている。ピン穴は、図１４の下図に示されるように、第２トレイ２２の第１トレイ２１に対する角度が第２の角度α２にされた場合に、ロックピン４３が挿入可能な位置に配置されている。したがって、ロックピン４３がピン穴に挿入されると、排出トレイ２０が第２姿勢でロックされる。
【００７６】
図１４において、ロックピン４３は、例えば手動でＸ軸方向に移動させることにより第２トレイ２２のピン穴に対して挿抜されるように構成されている。  
図１４の上図に示されるように、排出トレイ２０が第１姿勢をとる場合や、図１４の中図に示されるように、第１トレイ２１に対して第２トレイ２２、第３トレイ２３、第４トレイ２４がスライド収納されている場合には、ロックピン４３を第２トレイ２２から離間する方向である−Ｘ方向に移動させておく。  
そして、排出トレイ２０が第２姿勢にされたら、ロックピン４３を＋Ｘ方向に移動させて第２トレイ２２に設けられた不図示のピン穴に挿入し、排出トレイ２０の第２姿勢を保持することができる。
【００７７】
［第３実施形態］
以下、図１５及び図１６を参照して排出トレイ２０の更に他の例について説明する。  
第３実施形態の排出トレイ２０は、図１５の上図及び図１６の上図に示されるように、排出トレイ２０を第１姿勢にする場合には、第１トレイ２１に対して第２トレイ２２をスライドさせ、図１５の下図及び図１６の下図に示されるように、排出トレイ２０を第２姿勢にする場合には、第１トレイ２１に対して第２トレイ２２を回動させるように構成されている。
【００７８】
第２トレイ２２は、図１６の各図に示されるように、回動軸２２ａを介して第１トレイ２１に対して取り付けられている。第１トレイ２１は、図１５の下図に示されるように凹部として形成された収納部２１ａを備え、図１５の中図に示されるように、第２トレイ２２を収納可能になっている。
【００７９】
第３実施形態の排出トレイ２０は、図１５の上図及び図１６の上図に示されるように、第２トレイ２２を第１トレイ２１の収納部２１ａに収納したまま、第３トレイ２３及び第４トレイ２４を＋Ｙ方向に引き出すことで第１姿勢にすることができ、図１５の下図及び図１６の下図に示されるように、回動軸２２ａを軸として第２トレイ２２を第１トレイ２１に対して回動させることで第２姿勢にすることができる。  
尚、第３トレイ２３及び第４トレイ２４は、回動させた第２トレイ２２の自由端側に引き出すことも可能である。
【００８０】
［第４実施形態］
図１７を参照して排出トレイ２０の更に他の例について説明する。  
第４実施形態の排出トレイ２０は、図１７に示されるように、二つの第２トレイ２２Ａ及び第２トレイ２２Ｂを備えている。第２トレイ２２Ａ及び第２トレイ２２Ｂは、重寝た状態で第１トレイ２１に対して収納される。
【００８１】
第１トレイ２１は、＋Ｙ方向の側面に、第２トレイ２２Ａが進出可能な進出口２６Ａを備え、上面に第２トレイ２２Ｂが進出可能な進出口２６Ｂを備えている。  
第２トレイ２２Ａは、図１７の上図に示されるように、第１トレイ２１に対して概ね水平に進出させることができる。第２トレイ２２Ｂは、図１７の下図に示されるように、媒体排出方向の下流（＋Ｙ方向）に向けて上る傾斜姿勢で進出させることができる。  
以上の構成により、第２トレイ２２Ａを進出させることで排出トレイ２０を図１７の上図に示す第１姿勢にし、第２トレイ２２Ｂを進出させることで排出トレイ２０を図１７の下図に示す第２姿勢にすることができる。
【００８２】
その他、本発明は上記実施形態に限定されることなく、特許請求の範囲に記載した発明の範囲内で種々の変形が可能であり、それらも本発明の範囲内に含まれるものであることは言うまでもない。
【符号の説明】
【００８３】
１…スキャナー（画像読取装置）、２…筐体、３…下部ユニット、４…上部ユニット、５…読取部、５ａ…第１読取部、５ｂ…第２読取部、６…供給部、７…操作パネル、８…給送トレイ、８ａ…回動軸、９…補助給送トレイ、９ａ…第１補助給送トレイ、９ｂ…第２補助給送トレイ、９ｃ…第３補助給送トレイ、１０…媒体排出装置、１２ａ、１２ｂ…エッジガイド、１４…給送ローラー、１５…分離ローラー、１６…搬送ローラー対、１６ａ…搬送駆動ローラー、１６ｂ…搬送従動ローラー、１７…排出ローラー対（排出手段）、１７ａ…排出駆動ローラー、１７ｂ…排出従動ローラー、１８…排出部、１９…支持部材、２０…排出トレイ、２０ａ…回動軸、２１…第１トレイ、２２…第２トレイ、２３…第３トレイ、２４…第４トレイ、２５…規制部、３０…トレイ回動軸、３１…摺動軸、３２…ガイドレール、３３…凹部、３４…ハートカム機構、３５…ハートカム溝、３６…摺動ピン、３７ａ…第１ストッパー、３７ｂ…第２ストッパー、４０…トレイ回動軸、４１…支持棒（ロック手段）、４２…ガイドレール、４３…ロックピン、Ｐ…媒体
【図１】
2020121866.tif 000003
【図２】
2020121866.tif 000004
【図３】
2020121866.tif 000005
【図４】
2020121866.tif 000006
【図５】
2020121866.tif 000007
【図６】
2020121866.tif 000008
【図７】
2020121866.tif 000009
【図８】
2020121866.tif 000010
【図９】
2020121866.tif 000011
【図１０】
2020121866.tif 000012
【図１１】
2020121866.tif 000013
【図１２】
2020121866.tif 000014
【図１３】
2020121866.tif 000015
【図１４】
2020121866.tif 000016
【図１５】
2020121866.tif 000017
【図１６】
2020121866.tif 000018
【図１７】
2020121866.tif 000019